(57)【要約】      （修正有）【課題】肩掛けのように肩を広く覆って保温でき、大きくしても、電子レンジの加熱室に入れ易く、また不使用時はコンパクト化、省スペース化でき、保管や持ち運びが便利になるよう形成した、使い勝手の良い温熱パッドを提供する。【解決手段】通気性を有する扁平の袋状部１に、被加熱用の詰め物２を収納し、電子レンジ３で暖めて使用する温熱パッドである。上記の袋状部１を直列状に複数形成する。また各袋状部１の境４を介して袋状部１を畳んで重合自在に形成する。【選択図】図１
0003119949.tif 000002
【実用新案登録請求の範囲】
【請求項１】
通気性を有する扁平の袋状部に、被加熱用の詰め物が収納され、電子レンジで暖めて使用する温熱パッドであって、上記の袋状部が直列状に複数形成され、各袋状部の境を介して袋状部が畳まれて重合自在に形成されていることを特徴とする温熱パッド。
【請求項２】
請求項１記載の温熱パッドであって、袋状部が、長手方向にわたって等間隔に４個形成されていることを特徴とする温熱パッド。
【請求項３】
請求項１又は２記載の温熱パッドであって、詰め物が、ハーブであることを特徴とする温熱パッド。
【考案の詳細な説明】
【技術分野】
【０００１】
本考案は、温熱パッドに関し、更に詳しくは例えば肩、腰、或いは足などに当て、例えば身体を温め、血流を良くしたり、コリや痛みを緩和し、疲れを取り除くのに使用する温熱パッドに関するものである。
【背景技術】
【０００２】
従来、この種のパッドとしては、例えば包装体の内部に穀類を入れて口を封じ、これを電子レンジにて加熱することにより、穀類を発熱させてこの熱と穀類から放出される遠赤外線の作用で、身体又はその他の物を温めることができるよう構成しているものがある（例えば特許文献１参照）。
【０００３】
ところでこの種のパッドは、使い勝手が良くなるよう、肩や腰などの患部にあてがい易く、また電子レンジの加熱室内に入れ易くなるよう形成されているのが好ましい。
しかるに従来品は、包装体が扁平状に形成されているのに過ぎず、従ってこれによると、例えば肩掛けとして体裁良く、且つ肩や首の後ろを広く覆って保温することができなかった。
また従来品は、包装体を大きくすると、電子レンジの加熱室に入れにくくなり、更には不使用時にコンパクトに保管できず、使い勝手が悪い、という問題点があった。
【特許文献１】実用新案登録第３０５５７９２号公報
【考案の開示】
【考案が解決しようとする課題】
【０００４】
本考案は、このような従来品の問題点に鑑み、提案されたものである。
従って本考案が解決しようとする課題は、例えば肩掛けのように肩を広く覆って保温でき、大きくしても、電子レンジの加熱室に入れ易く、また不使用時はコンパクト化、省スペース化でき、保管や持ち運びが便利になるよう形成した、使い勝手の良い温熱パッドを提供することにある。
【課題を解決するための手段】
【０００５】
本考案は、上記の課題を解決するため、次のような技術的手段を採る。
即ち本考案は、図１等に示されるように、通気性を有する扁平の袋状部１に、被加熱用の詰め物２が収納され、電子レンジ３で暖めて使用する温熱パッドであって、上記の袋状部１が直列状に複数形成され、各袋状部１の境４を介して袋状部１が畳まれて重合自在に形成されていることを特徴とする（請求項１）。
【０００６】
本考案の場合、袋状部１は、通常、例えば長方形や正方形等に形成されるが、その形状や、厚さ、大きさは任意である。またここで、袋状部１が直列状に複数形成され、とは、具体的には、個別に形成した袋状部１を、例えば縫い合わせたり、また専用の連結部材を用いて連結したり、或いは布を平面視で帯状に長く形作り、この布を、長手方向にわたって一定の間隔ごと、長手方向と直交する方向を例えば縫い合わせて仕切ることにより実現される。
【０００７】
この場合、袋状部１は、長手方向にわたって等間隔に４個形成されているのが好ましい（請求項２）。
なぜならこれによると、本考案品を、例えば肩掛けとして左右バランス良く、両肩と首の後に掛けることができ、首回りを均等に保温したり、温め易いからである。
【０００８】
また請求項１又は２記載の本考案品は、詰め物２が、ハーブであるのが好ましい（請求項３）。
なぜならこれによると、ハーブの芳香と、鎮静作用、リラックス作用により、例えば安眠やストレス発散、血行促進等の諸効果を得られるからである。
【考案の効果】
【０００９】
本考案は、このように通気性を有する扁平の袋状部に、被加熱用の詰め物を収納し、電子レンジで暖めて使用する温熱パッドであって、上記の袋状部を直列状に複数形成し、各袋状部の境を介して袋状部を畳んで重合自在に形成しているものである。
従って本考案を使用すれば、例えば肩掛けのように肩を広く覆って保温でき、広く、大きくしても、畳んで電子レンジの加熱室に入れ易くなり、また使用しないときはコンパクトに、省スペースで保管でき、持ち運びも便利になる、という実用上優れた効果を奏する。
【考案を実施するための最良の形態】
【００１０】
以下、本考案の好適な一実施形態を添付図面に従って説明する。
本考案の温熱パッドは、通気性を有する扁平の袋状部１に、被加熱用の詰め物２が収納され、電子レンジ３で暖めて使用するものである。
【００１１】
上記の袋状部１は、この実施形態では布を平面視で帯状に長く形作り、この布を、長手方向にわたって等間隔に、長手方向と直交する方向に縫合して仕切ることにより、直列状に複数形成されている。そしてこれにより各袋状部１は、縫合された境４を介して畳まれて重合自在に形成されている。この場合、この実施形態に係る本考案は、袋状部１が、長手方向にわたって等間隔に、同じ大きさで４個形成されている。
またこの実施形態の場合、詰め物２としては、無農薬で栽培した、例えばラベンダー、ペパーミント、タイム、ロシアンセージ等のハーブが適宜ブレンドされたものが使用されている。
【００１２】
次に本考案の使用例を説明する。
使用者は、図１Ｂに示されるように、電子レンジ３の加熱室３ａに本考案品を畳んで入れ、２分ほど温める。次に、これを、図３、図４に示されるように、首５の後ろを回して左右の肩に掛け、例えば肩掛けとして使用する。また例えば不使用時は、図５に示されるように、袋状部１を、境４を介して折り畳み、紐６などで結び、持ち運びや保管が便利になるようコンパクト化するのが良い。
【００１３】
本考案品によると、夏は、冷房で冷えた身体を暖め、滞ったリンパを流し、疲労を取り除き、また冬は、身体を暖めて血流を良くし、コリや痛みを緩和する効果を得られる。この場合、特に詰め物２がハーブの場合は、その芳香と、ハーブ特有の諸効果（例えばラベンダーは鎮静、鎮痛、防虫効果、リラックス効果に加え、肌の若返りの効果、ペパーミントは消化促進、鎮痛、肩こり解消、筋肉痛緩和、タイムは防腐、去痰、殺菌、消化促進等の効果）により、例えば安眠やストレス発散、血行促進等の温熱療法効果を得られる。
【００１４】
以上の処において、本考案の場合、詰め物２は、ハーブには限られず、その他例えばゼラニウム、小麦のシード、ディルシード、ヨモギ、レモンユーカリ、フェンネルなどの薬草、香草類でも良い。
【００１５】
また本考案品は、袋状部１ごと、ハーブの種類を変えたり、或いはハーブと他の種類の薬草、香草類とを組み合わせて詰め、各植物の持つ有益な性質、効能を、効果的に発揮できるよう構成するのでも良い。
【図面の簡単な説明】
【００１６】
【図１】本考案の温熱パッドの好適な一実施形態を示し、Ａは一部を切欠した斜視図、Ｂは使用状態時の正面図である。
【図２】Ａは同上温熱パッドの平面図、Ｂは一部を切欠した側面図である。
【図３】同上温熱パッドの使用状態を示す正面図である。
【図４】同上温熱パッドの使用状態を示す背面図である。
【図５】同上温熱パッドの不使用時の保管形態を示す斜視図である。
【符号の説明】
【００１７】
１    袋状部
２    詰め物
３    電子レンジ
３ａ  加熱室
４    境
５    首
６    紐
【図１】
0003119949.tif 000003
【図２】
0003119949.tif 000004
【図３】
0003119949.tif 000005
【図４】
0003119949.tif 000006
【図５】
0003119949.tif 000007